(57)【要約】【課題】  高い信頼性を保ちつつ、正確に画像を読取ることのできる画像読取装置と画像読取方法を提供することである。【解決手段】画像を光学的に読取る読取部が移動中の相対位置を示す相対位置信号に同期して光源が予め定められた時間点灯後、その読取部により読取られた画像の画像信号を出力させるための制御信号に同期してその画像信号を出力するよう制御する。【選択図】  図５
2007184907.tif 000002
【特許請求の範囲】
【請求項１】
原稿に記録された画像を読み取る画像読取装置であって、
前記原稿に光源の光を照射して前記原稿に記録された画像を光学的に読み取る読取手段と、
前記原稿に対して前記読取手段を相対的に移動させる移動手段と、
前記移動手段による前記読取手段の移動に応じて位置信号を出力する位置信号生成手段と、
前記位置信号に同期して前記光源を第１の期間、点灯させるよう制御する点灯制御手段と、
前記光源が前記第１の期間点灯後、前記読取手段により読取られた画像の画像信号を出力させるための制御信号を発生し、該制御信号に同期して第２の期間、前記画像信号を出力するよう制御する出力制御手段とを有することを特徴とする画像読取装置。
【請求項２】
前記読取手段は前記移動手段による移動方向に垂直方向に配列した複数の画素を有したリニアイメージセンサであることを特徴とする請求項１に記載の画像読取装置。
【請求項３】
前記移動手段は、
ＤＣモータと、
前記ＤＣモータの駆動制御を行なうモータドライバとを含み、
前記位置信号生成手段は、エンコーダを含むことを特徴とする請求項１又は２に記載の画像読取装置。
【請求項４】
前記位置信号の周期は前記第１の期間より長くなるように、前記読取手段の移動速度を定めることを特徴とする請求項１乃至３のいずれか１項に記載の画像読取装置。
【請求項５】
前記第２の期間より前記第１の期間が長くなるように、前記点灯制御手段及び前記出力制御手段は制御することを特徴とする請求項１乃至４のいずれか１項に記載の画像読取装置。
【請求項６】
前記原稿の読取動作を行ってはいない期間における前記制御信号の周期は、前記光源の点灯時間よりも短いことを特徴とする請求項５に記載の画像読取装置。
【請求項７】
前記原稿の読取動作を行ってはいない期間における前記制御信号の周期は、前記読取手段からの１走査分に相当する前記画像信号の出力時間よりも短いことを特徴とする請求項６に記載の画像読取装置。
【請求項８】
前記光源はＬＥＤであることを特徴とする請求項１乃至７のいずれか１項に記載の画像読取装置。
【請求項９】
前記ＬＥＤは赤色ＬＥＤと緑色ＬＥＤと青色ＬＥＤとを含むことを特徴とする請求項８に記載の画像読取装置。
【請求項１０】
前記点灯制御手段は前記位置信号に同期して前記赤色ＬＥＤと前記緑色ＬＥＤと前記青色ＬＥＤを順次予め定められた時間点灯させるよう制御することを特徴とする請求項９に記載の画像読取装置。
【請求項１１】
原稿に記録された画像を読み取る画像読取装置であって、
光電変換素子が配列された光電変換素子列とシフトレジスタを備え、前記原稿に光源の光を照射して前記原稿に記録された画像を光学的に読み取る読取手段と、
前記原稿に対して前記読取手段を相対的に移動させる移動手段と、
前記移動手段による前記読取手段の移動に応じて位置信号を出力する位置信号生成手段と、
前記位置信号に同期して前記光源を第１の期間、点灯させるよう制御する点灯制御手段と、
前記光源が前記第１の期間点灯後、前記光電変換素子に蓄積されている電荷を前記シフトレジスタに転送するタイミング信号を発生し、該タイミング信号の発生後に、第２の期間、前記シフトレジスタを介して前記読取手段から電荷を出力するよう制御する出力制御手段とを有することを特徴とする画像読取装置。
【請求項１２】
前記出力制御手段は、
前記位置信号が入力してから前記第１の期間経過した後に、前記タイミング信号を発生させ、該タイミング信号の発生後更に前記第２の期間経過した後に前記タイミング信号を発生させることを特徴とする請求項１１に記載の画像読取装置。
【請求項１３】
前記出力制御手段は、
先の位置信号が入力してから次の位置信号が入力するまでの間、前記先の位置信号が入力してから前記第１の期間経過した後に前記タイミング信号を発生させ、該タイミング信号の発生後更に前記第２の期間が経過する毎に前記タイミング信号を発生させることを特徴とする請求項１１に記載の画像読取装置。
【請求項１４】
前記出力制御手段は、
前記光源の点灯を許可されるまで、前記第２の期間より長い時間間隔で周期的に前記タイミング信号を発生させることを特徴とする請求項１１に記載の画像読取装置。
【請求項１５】
原稿に記録された画像を読み取る画像読取装置であって、
光電変換素子が配列された光電変換素子列とシフトレジスタを備え、前記原稿に光源の光を照射して前記原稿に記録された画像を光学的に読み取る読取手段と、
前記原稿に対して前記読取手段を相対的に移動させる移動手段と、
前記移動手段による前記読取手段の移動に応じて位置信号を出力する位置信号生成手段と、
前記光源が点灯した状態で、前記位置信号に同期して前記光電変換素子に電荷の蓄積を第１の期間、許可する許可信号を発生させる許可信号制御手段と、
前記許可信号が第１の期間発生した後、前記光電変換素子に蓄積されている電荷を前記シフトレジスタに転送するタイミング信号発生し、該タイミング信号の発生後に、第２の期間、前記シフトレジスタを介して前記読取手段から電荷を出力するよう制御する出力制御手段とを有することを特徴とする画像読取装置。
【請求項１６】
光電変換素子が配列された光電変換素子列とシフトレジスタを備えた読取部を用いて、原稿に光源の光を照射して前記原稿に記録された画像を光学的に読み取る画像読取方法であって、
前記原稿に対して前記読取部を相対的に移動させる移動工程と、
前記移動工程による前記読取部の移動に応じて位置信号を出力する位置信号生成工程と、
前記位置信号に同期して前記光源を第１の期間、点灯させるよう制御する点灯制御工程と、
前記光源が前記第１の期間点灯後、前記光電変換素子に蓄積されている電荷を前記シフトレジスタに転送するタイミング信号を発生し、該タイミング信号の発生後に、第２の期間前記シフトレジスタを介して前記読取部から電荷を出力するよう制御する出力制御工程とを有することを特徴とする画像読取方法。
【請求項１７】
光電変換素子が配列された光電変換素子列とシフトレジスタを備えた読取部を用いて、原稿に光源の光を照射して前記原稿に記録された画像を光学的に読み取る画像読取方法であって、
前記原稿に対して前記読取部を相対的に移動させる移動工程と、
前記移動工程による前記読取部の移動に応じて位置信号を出力する位置信号生成工程と、
前記光源が点灯した状態で、前記位置信号に同期して前記光電変換素子に電荷の蓄積を第１の期間、許可する許可信号を発生させる許可信号制御工程と、
前記許可信号が前記第１の期間、発生した後、前記光電変換素子に蓄積されている電荷を前記シフトレジスタに転送するタイミング信号を発生し、該タイミング信号の発生後、第２の期間、前記シフトレジスタを介して前記読取部から電荷を出力するよう制御する出力制御工程を有することを特徴とする画像読取方法。
【発明の詳細な説明】
【技術分野】
【０００１】
本発明は画像読取装置及び画像読取方法に関し、特に、例えば、シート状の記録媒体に記録された画像をリニアイメージセンサにより光学的に読み取る画像読取装置及びその装置に適用される画像読取方法に関する。
【背景技術】
【０００２】
従来の画像読取装置にはＣＣＤラインセンサが用いられている（例えば、特許文献１、図２参照）。このような従来の画像読取装置にはリニアイメージセンサの読取位置精度を向上させる目的で、移動する画像原稿の近傍に位置センサを配し、位置センサの出力信号によってイメージセンサの読取タイミングを制御するものがあった（例えば、特許文献２参照）。
【０００３】
また、画像原稿の読取時、ＣＣＤラインセンサが機械的に移動する方向に一定の距離だけ移動する毎にピックアップパルスを発生するロータリエンコーダからの出力を受けて光電変換開始信号を強制的に発生するものもあった（例えば、特許文献３参照）。
【０００４】
さらに、ラインセンサの移動方向に関し、画像原稿の読取速度を計測し、ラインセンサの水平同期信号を生成し、ラインセンサを画像原稿に相対移動させるモータの駆動に応じてその水平同期信号を再同期化するものがあった（例えば、特許文献４）。
【特許文献１】特開平６−１０５１３５号公報
【特許文献２】特開昭６３−２８７１６７号公報
【特許文献３】特公平３−７０２１３号公報
【特許文献４】特許第３５８５９７６号公報
【発明の開示】
【発明が解決しようとする課題】
【０００５】
しかしながら上記従来例では、以下のような問題があった。
【０００６】
特許文献２には位置センサから１ドットピッチ分の移動が検知されると、この信号によりラインセンサに蓄積された画像データが転送されることが記載されている。しかしながら、位置センサ出力がラインセンサの蓄積タイミングに同期していないため、読取ラインの位置精度が低下するという問題があった。
【０００７】
特許文献３に開示された装置はロータリエンコーダの出力信号によってイメージセンサの光電変換信号を強制的に発生させる構成を採用し位置精度の向上を図っている。しかしながら、この構成では、読取アナログ画像信号の出力期間にロータリエンコーダの出力信号によるイメージセンサの光電変換信号を発生することができず、ロータリエンコーダセンサ出力との同期を取ることが不可能であった。そのため、ロータリエンコーダの出力周期が光電変換周期と画像信号出力期間との和以上でないと正常に動作できず、高速読取ができないという欠点があった。また、光電変換信号を強制的に発生させた場合にはイメージセンサ内部の電荷転送部での電荷オーバフローや想定以上の出力値などが生じ、それ以降の回路動作に弊害を及ぼす可能性もあった。
【０００８】
また、特許文献４に開示された装置では、読取を開始する最初のラインのみ水平同期信号の再同期化を行うことによって、主走査同期信号に同期して連続的に読み取ることができる。しかしながら、この同期は読取開始ラインのみの同期化であるため、連続したライン読み取り中の駆動速度の変動によって生じた読取位置変動を除去することができないという欠点があった。
【０００９】
そして、上記いずれにおいても読取時の主走査同期信号周期は一定であるということが必要不可欠であり、それが変動すると画像を正しく読取ることができないという問題が生じていた。
【００１０】
本発明は上記従来例に鑑みてなされたもので、高い信頼性を保ちつつ、正確に画像を読取ることのできる画像読取装置と画像読取方法を提供することを目的としている。
【課題を解決するための手段】
【００１１】
上記目的を達成するため本発明の画像読取装置は以下の構成からなる。
【００１２】
即ち、原稿に記録された画像を読み取る画像読取装置であって、前記原稿に光源の光を照射して前記原稿に記録された画像を光学的に読み取る読取手段と、前記原稿に対して前記読取手段を相対的に移動させる移動手段と、前記移動手段による前記読取手段の移動に応じて位置信号を出力する位置信号生成手段と、前記位置信号に同期して前記光源を第１の期間、点灯させるよう制御する点灯制御手段と、前記光源が前記第１の期間点灯後、前記読取手段により読取られた画像の画像信号を出力させるための制御信号を発生し、該制御信号に同期して第２の期間、前記画像信号を出力するよう制御する出力制御手段とを有することを特徴とする。
【００１３】
また他の発明によれば、原稿に記録された画像を読み取る画像読取装置であって、光電変換素子が配列された光電変換素子列とシフトレジスタを備え、前記原稿に光源の光を照射して前記原稿に記録された画像を光学的に読み取る読取手段と、前記原稿に対して前記読取手段を相対的に移動させる移動手段と、前記移動手段による前記読取手段の移動に応じて位置信号を出力する位置信号生成手段と、前記位置信号に同期して前記光源を第１の期間、点灯させるよう制御する点灯制御手段と、前記光源が前記第１の期間点灯後、前記光電変換素子に蓄積されている電荷を前記シフトレジスタに転送するタイミング信号を発生し、該タイミング信号の発生後に、第２の期間、前記シフトレジスタを介して前記読取手段から電荷を出力するよう制御する出力制御手段とを有することを特徴とする。
【００１４】
さらに他の発明によれば、原稿に記録された画像を読み取る画像読取装置であって、光電変換素子が配列された光電変換素子列とシフトレジスタを備え、前記原稿に光源の光を照射して前記原稿に記録された画像を光学的に読み取る読取手段と、前記原稿に対して前記読取手段を相対的に移動させる移動手段と、前記移動手段による前記読取手段の移動に応じて位置信号を出力する位置信号生成手段と、前記光源が点灯した状態で、前記位置信号に同期して前記光電変換素子に電荷の蓄積を第１の期間、許可する許可信号を発生させる許可信号制御手段と、前記許可信号が第１の期間発生した後、前記光電変換素子に蓄積されている電荷を前記シフトレジスタに転送するタイミング信号発生し、該タイミング信号の発生後に、第２の期間、前記シフトレジスタを介して前記読取手段から電荷を出力するよう制御する出力制御手段とを有することを特徴とする。
【００１５】
またさらに他の発明によれば、光電変換素子が配列された光電変換素子列とシフトレジスタを備えた読取部を用いて、原稿に光源の光を照射して前記原稿に記録された画像を光学的に読み取る画像読取方法であって、前記原稿に対して前記読取部を相対的に移動させる移動工程と、前記移動工程による前記読取部の移動に応じて位置信号を出力する位置信号生成工程と、前記位置信号に同期して前記光源を第１の期間、点灯させるよう制御する点灯制御工程と、前記光源が前記第１の期間点灯後、前記光電変換素子に蓄積されている電荷を前記シフトレジスタに転送するタイミング信号を発生し、該タイミング信号の発生後に、第２の期間前記シフトレジスタを介して前記読取部から電荷を出力するよう制御する出力制御工程とを有することを特徴とする。
【００１６】
またさらに他の発明によれば、光電変換素子が配列された光電変換素子列とシフトレジスタを備えた読取部を用いて、原稿に光源の光を照射して前記原稿に記録された画像を光学的に読み取る画像読取方法であって、前記原稿に対して前記読取部を相対的に移動させる移動工程と、前記移動工程による前記読取部の移動に応じて位置信号を出力する位置信号生成工程と、前記光源が点灯した状態で、前記位置信号に同期して前記光電変換素子に電荷の蓄積を第１の期間、許可する許可信号を発生させる許可信号制御工程と、前記許可信号が前記第１の期間、発生した後、前記光電変換素子に蓄積されている電荷を前記シフトレジスタに転送するタイミング信号を発生し、該タイミング信号の発生後、第２の期間、前記シフトレジスタを介して前記読取部から電荷を出力するよう制御する出力制御工程を有することを特徴とする。
【発明の効果】
【００１７】
従って本発明によれば、画像を光学的に読取る読取部が移動中の相対位置を示す相対位置信号に同期して光源が予め定められた時間点灯後その読取部により読取られた画像の画像信号を出力させるための制御信号に同期してその画像信号を出力するよう制御する。従って、読取部の移動中の速度が変動しても、正確にその位置に対応した画像の読取を行なうことができるという効果がある。
【００１８】
また、相対位置信号を発生させる周期の長さを光電変換素子の光電変換期間と出力期間の和の長さより短くすることができ、読取動作の速度を向上させることができる。
【発明を実施するための最良の形態】
【００１９】
以下添付図面を参照して本発明の好適な実施例について、さらに具体的かつ詳細に説明する。
【００２０】
図１は本発明の代表的な実施例であるフラットベッド型の画像読取装置１００（光学スキャナ）の外観斜視図である。この画像読取装置には、図１に示すように、バックライト付のＬＣＤ１１０が備えられており、画像読取時にはＬＣＤ１１０のバックライトを点灯させ、簡単な文字情報や画像を表示することができる。図１に示すＬＣＤ表示画面１１１には読取解像度、スキャンモード、読取の進行度を示すメータなどが表示される。また、画像読取装置１００はＵＳＢインタフェースでホストコンピュータ（以下、ホスト）などの外部装置と接続され、この画像読取装置を動作させる電力はＵＳＢインタフェースを介してその外部装置より供給される。ホストとしては、パーソナルコンピュータなどが代表的なものである。
【００２１】
なお、本発明は図１に示されるようなフラットベッド型の画像読取装置のみならず、プリンタやファクシミリと統合された多機能型プリンタ（ＭＦＰ）などに組み込まれるスキャナなどにも適用される。
【００２２】
図２は図１に示す画像読取装置１００の内部構成を示す側断面図である。
【００２３】
図２に示すように、画像読取装置１００には光学ユニット１０１、光学ユニット１０１と電気的に接続された回路基板１０２、光学ユニット１０１を装着して矢印Ｂ方向に走査させるベルト１０３、画像原稿１０８を載置する原稿台ガラス１０４が備えられる。光学ユニット１０１には画像原稿１０８に光を照射し、その反射光を受光して電気信号に変換するリニアイメージセンサ（ＬＩＳ）１０６が内蔵される。
【００２４】
ベルト１０３はＤＣモータ１０５によって回転させられる。ＤＣモータ１０５の回転軸にはロータリエンコーダ（不図示）が取り付けられ、ロータリエンコーダセンサ１０７はそのロータリエンコーダの位置信号を出力する。この位置信号により、ＬＩＳ１０６の位置が検出される。
【００２５】
また、光学ユニット１０１の走査経路の端にはホームポジションセンサ１０９が設けられ、光学ユニット１０１が所定のホームポジション（ＨＰ）に到達した際にホームポジション信号を出力する。
【００２６】
ＤＣモータ１０５の回転速度は、回路基板１０２から供給される電圧もしくは電流により制御される。また、ロータリエンコーダセンサ１０７から出力されるロータリエンコーダの位置信号は回路基板１０２に転送される。
【００２７】
画像読取の際には原稿台ガラス１０４上に置かれた画像原稿１０８を光学ユニット１０１が矢印Ｂの方向（副走査方向）に走査することにより画像原稿１０８に記録された画像の読取を行う。
【００２８】
図３はリニアイメージセンサ（ＬＩＳ）１０６の詳細な構造を示す側断面図である。
【００２９】
ＬＩＳ１０６は、図３に示すように、Ｒ（レッド）色の光を発光する赤色ＬＥＤ２０２と、Ｇ（グリーン）色の光を発光する緑色ＬＥＤ２０３と、Ｂ（ブルー）色の光を発光する青色ＬＥＤ２０４とを備えている。原稿読取時には１ライン毎に各色ＬＥＤを時分割で点灯させ、点灯した光を導光対２０５を通して均一に原稿に対し照射しその反射光をセルフォックレンズ２０１で画素毎に集光し、光電変換素子でその光を電気信号に変換する。このようにして、ＲＧＢ３色成分の色信号からなる１ライン分の画像信号を出力する。ＬＩＳユニットを副走査方向に移動させることにより原稿全面の画像読取を行う。
【００３０】
ここで、リニアイメージセンサＬＩＳ１０６は、ダイオードアレイ（光電変換素子）、シフトレジスタ、出力部を備えている。また、このダイオードアレイには、フォトダイオードと電荷蓄積部を備えている。
【００３１】
図１５は、例としてＲ（レッド）色の光の反射光について処理ブロックを説明する図である。１６０１はダイオードアレイ、１０６２はシフトレジスタ、１０６３は出力部である。出力部１０６３は増幅器（ＡＭＰ）４０４に出力される。なお、Ｇ（グリーン）色やＢ（ブルー）色の処理ブロックも同様な構成であるので、説明を省略する。
【００３２】
なお、セルフォックレンズ２０１の各セルの配列方向を示す矢印Ａの方向を主走査方向という。主走査方向と副走査方向とは互いに直交している。図２では、主走査方向は紙面に対して垂直方向となる。
【００３３】
図４は画像読取装置の制御回路の構成を示すブロック図である。
【００３４】
なお、図４において、既に図１〜図３において説明した構成要素には同じ参照番号を付し、その説明は省略する。
【００３５】
ＬＩＳ１０６はＬＥＤ駆動回路４０３において１ライン毎に各色のＬＥＤ２０２〜２０４を切り替えて点灯させることにより、ＲＧＢ線順次にカラー画像を読み取る。ＬＥＤ２０２〜２０４は原稿の照射光量を変化させることが可能な光源である。増幅器（ＡＭＰ）４０４はＬＩＳ１０６より出力された信号を増幅し、Ａ／Ｄ変換器４０５はその増幅された電気信号をＡ／Ｄ変換して、例えば、各画素各色成分１６ビットのデジタル画像データを出力する。
【００３６】
シェーディングＲＡＭ４０７は、原稿ガラス１０５に貼り付けられた指標板（不図示）の裏面に貼り付けられた標準白色板（不図示）を読み取ることによりシェーディング補正を行うために用いるデータを記憶している。そして、シェーディング補正回路４０６はシェーディングＲＡＭ４０７に記憶されたデータに基いて、Ａ／Ｄ変換器４０５から出力された画像データにシェーディング補正処理を施す。さらに、ガンマ変換回路４０８では、ホストより予め設定されたガンマ曲線に従って、シェーディング補正がなされた画像データにガンマ変換を施す。
【００３７】
バッファＲＡＭ４１０は、実際の読み取り動作とホストとの通信に於けるタイミングを合わせるために、画像データを１次的に記憶させるためのＲＡＭである。パッキング／バッファＲＡＭ制御回路４１１は、ホストにより予め設定された画像出力モード（２値、８ビットグレー、２４ビットカラー（ＲＧＢ各色８ビット）、４８ビットカラー（ＲＧＢ各色１６ビット））に従ったパッキング処理を行う。さらに、そのパッキング処理がなされた画像データをバッファＲＡＭ４１０に書き込むとともに、インタフェース制御回路４１１にバッファＲＡＭ４１０から画像データを読み込んで出力する。
【００３８】
インタフェース制御回路４１１は、外部装置４１７であるホストとの間で、制御データの授受や画像データの出力を行う。
【００３９】
以上のような一連の処理は、ＣＰＵ４１４により制御される。その制御はＲＯＭ４１５に格納された処理プログラムをＣＰＵ４１４が読み出し、ＲＡＭ４１６を作業領域として用いて実行することより実行される。
【００４０】
さらに、図４において、４１２は例えば水晶発信器などの基準信号発信器（ＯＳＣ）、４１３はＣＰＵ４１４の設定に応じて基準信号発信器４１２の出力を分周して動作の基本となる各種タイミング信号を発生するタイミング信号発生回路である。４２１はロータリエンコーダであり、ＬＩＳ１０６の移動に応じて信号を出力する。この信号は、タイミング信号発生回路４１３に入力される。タイミング信号発生回路４１３は、後述する主走査同期信号（ＭＳＹＮＣ）の出力のタイミング、読取光源点灯信号（ＬＥＤＲ）の出力タイミング、アナログ画像信号（ＡＩＭＧ）の出力タイミング等を生成する。
【００４１】
またさらに、４１７は操作ボタンからなる操作部であり、その出力信号はＣＰＵ４１４の入力ポートに接続されている。４１９はＬＣＤ１１０のバックライト光源となるＬＥＤであり、タイミング信号発生回路４１３から出力される点灯信号により点灯制御される。４２０はＣＰＵ４１４からの指示に基づいてＤＣモータ１０５を駆動制御するモータドライバである。
【００４２】
次に以上の構成の画像読取装置における画像読取動作について詳しく説明する。なお、説明を簡単にするために画像読取を１つのＬＥＤだけを点灯して実行する場合について説明する。この実施例では、ロータリエンコーダセンサ１０７からの各信号パルスに同期して画像読取動作が制御される。
【００４３】
図５は画像読取動作を示す各信号のタイムチャートである。図５において、左から右に時間が経過するものとし、非読取状態から読取状態へ移行する様子を説明している。例えば、ＬＩＳ１０６は加速制御領域では非読取状態であり、ＬＩＳ１０６が定速制御領域では読取状態に移行する。
【００４４】
まず、ＣＰＵ４１４は画像読取動作を行わないときには、図５に示すように、ＬＩＳ１０６に対して所定周期（ｔ）の主走査同期信号（ＭＳＹＮＣ）を出力する。一方、ＬＩＳ１０６は主走査同期信号期間に露光された光学信号をアナログ電気信号に蓄積変換し、次の主走査同期信号期間に蓄積した電荷を１主走査分のアナログ画像信号（ＡＩＭＧ）として出力する。例えば、１つ前のＭＳＹＮＣの出力タイミングから次のＭＳＹＮＣの出力タイミングまでの期間の電荷をダイオードアレイ１０６１は電荷を蓄積する。そして、読取動作区間において、タイミング５０３のＭＳＹＮＣが出力されたとき、ダイオードアレイ１０６１は蓄積した電荷をレジスタ１０６２へ出力する。そして、レジスタ１０６２へ出力された電荷は、ＭＳＹＮＣに同期して、増幅器４０４へ出力（転送）を開始する。この出力処理では、出力（転送）のためのクロック信号に基づき出力部１０６３を介して増幅器４０４へ出力する。ここで、タイミング５０４で出力されるアナログ画像信号（ＡＩＭＧ）は、ＬＥＤＲのタイミング５０２に対応する信号である。なお、読取動作を行わないときには光源のＬＥＤ２０２〜２０４は消灯されている。従って、図５に網かけされたアナログ画像信号（ＡＩＭＧ）で示すように、ＬＩＳ１０６から出力されるアナログ画像信号（ＡＩＭＧ０、ＡＩＭＧ１、ＡＩＭＧ２）はほぼゼロ（全黒）となっている。
【００４５】
また、ＣＰＵ４１４はモータドライバ４２０を介してＤＣモータ１０５の駆動制御を行い、ＬＩＳ１０６を画像原稿１０８に対して相対的に移動させる。その際、画像読取動作に先立って、ホームポジションセンサ１０９からの信号検出時にロータリエンコーダセンサ１０７からの信号パルスのカウントを開始する。そして、カウントを開始したロータリエンコーダセンサ１０７からの信号パルスのカウント値が所定の数値に達すると（即ち、所定の読取開始位置に到達すると）読取動作を開始する。
【００４６】
図５に示すように、例えば、タイミング５０１の直前にパルス信号（ＲＥＰＬＳ）のカウント値が所定のカウント値になると、タイミング５００で読取コマンド（ＲＣＭＤ）が発行される。次に、タイミング５０１で画像読取が開始され、パルス信号（ＲＥＰＬＳ）に同期して、タイミング５０２で読取光源点灯信号（ＬＥＤＲ）が所定の期間（ｔ１）出力された後、主走査同期信号（ＭＳＹＮＣ）がタイミング５０３で出力される。つまり、ＣＰＵ４１４は、パルス信号（ＲＥＰＬＳ）をトリガにして時間ｔ１後に、主走査同期信号（ＭＳＹＮＣ）を出力するように制御を行う。主走査同期信号（ＭＳＹＮＣ）の出力に続いて、アナログ画像信号（ＡＩＭＧ）がタイミング５０４で期間（ｔ２）出力される。図１５を使って説明すると、タイミング５０４で期間（ｔ２）レジスタ１６０２に保持している電荷を、出力部１０６３を介して出力する。以降、同様にパルス信号（ＲＥＰＬＳ）の出力タイミング５０５、５０６に応じて連続的に各ラインの読取動作が行われる。なお、通常、連続的に画像読取を行なうためには、少なくとも画像読取動作区間では、主走査同期信号（ＭＳＹＮＣ）の周期（ｔ）はｔ≧ｔ１、かつｔ≧ｔ２である。また、ＲＥＰＬＳの周期をｔｒとすると、ｔｒ＞ｔ１である。
【００４７】
図６は図５に続く画像読取動作を示す各信号のタイムチャートである。
【００４８】
なお、図６において、図５で示したのと同じ信号には同じ参照記号を用い、同じタイミングには同じ参照番号を用いている。
【００４９】
図６（ａ）は、出力パルス（ＲＥＰＬＳ）の間隔が長くなった場合の説明図である。先の出力パルス（ＲＥＰＬＳ）の出力タイミング５０６から次の出力パルス（ＲＥＰＬＳ）の出力タイミング５０８までの時間が非読取動作区間における主走査同期信号（ＭＳＹＮＣ）の周期（ｔ）よりも長くなっている。補足として、先の出力パルス（ＲＥＰＬＳ）の出力タイミング５０６から次の出力パルス（ＲＥＰＬＳ）の出力タイミングまでの時間が非読取動作区間における主走査同期信号（ＭＳＹＮＣ）の周期（ｔ）と等しいタイミングを５０７として表している。実際に出力パルス（ＲＥＰＬＳ）が出力されるタイミングは、Δｔ遅れたタイミング５０８である。このため、図６（ｂ）に示されるタイミング５１５で出力される読取光源点灯信号（ＬＥＤＲ）は、図６（ａ）において破線で示したタイミング５０９よりΔｔ分遅れて出力される。
【００５０】
従って、図６（ｂ）に示すように、ロータリエンコーダセンサ１０７からの次の出力パルス（ＲＥＰＬＳ）がタイミング５０８で出力され、このタイミングに同期して、読取光源点灯信号（ＬＥＤＲ）と主走査同期信号（ＭＳＹＮＣ）がそれぞれ出力される。そして、タイミング５１２で出力される主走査同期信号（ＭＳＹＮＣ）に同期してタイミング５１６でアナログ画像信号（ＡＩＭＧ）の出力が行われる。なお、図６（ａ）で説明したように、ＲＥＰＬＳの出力５０８はタイミング５０７よりΔｔ分遅れて出力しているため、主走査同期信号（ＭＳＹＮＣ）のタイミング５１２はタイミング５１１よりΔｔ分遅れる。
【００５１】
このように、ロータリエンコーダセンサ１０７からの出力パルス（ＲＥＰＬＳ）の周期が長くなる場合には、非読取動作区間とは異なり、図６のタイミング５１０と５１２で示すように、アナログ画像信号出力のために用いる主走査同期信号の周期は変動する。
【００５２】
逆に、ＤＣモータのサーボ制御などの影響でロータリエンコーダセンサ１０７からの出力パルス信号（ＲＥＰＬＳ）の周期が短くなる場合もある。この場合は、図５のタイミング５０５から分るように、パルス信号（ＲＥＰＬＳ）はアナログ画像信号（ＡＩＭＧ）の出力期間にオーバラップしていても主走査同期信号（ＭＳＹＮＣ）が出力されないため、画像信号出力に影響を与えることは無い。従って、先のＭＳＹＮＣに基づくＡＩＭＧの出力処理（ｔ２）と次のＭＳＹＮＣに基づくＬＥＤＲの処理（オン期間）を並行して行うことができる。
【００５３】
一方、従来の技術では、ロータリエンコーダセンサ１０７のパルス信号（ＲＥＰＬＳ）に同期して１６０１はダイオードアレイ１６０１からシフトレジスタ１６０２へ出力していた。このため、アナログ画像信号（ＡＩＭＧ）の出力期間に信号（ＲＥＰＬＳ）が発生すると、その出力期間の途中から、今回の信号（ＲＥＰＬＳ）に基づくアナログ画像信号（ＡＩＭＧ）が出力される。このような処理では、１走査単位（１走査分）のアナログ画像信号（ＡＩＭＧ）の出力が正しくなされない。
【００５４】
このため、１走査単位（１走査分）のアナログ画像信号（ＡＩＭＧ）の出力を行うために、出力パルス信号（ＲＥＰＬＳ）の周期が短くなる場合を想定して、ラインセンサの移動速度を設定する必要がある。
【００５５】
即ち、ＲＥＰＬＳの周期（ｔｒ）＞ＬＥＤＲの有効期間（ｔ１）＋ＡＩＭＧの出力期間（ｔ２）の関係を満たすように、ラインセンサの移動速度を設定する必要があった。このような従来の技術では先のＭＳＹＮＣに基づくＡＩＭＧの出力処理（ｔ２）と次のＭＳＹＮＣに基づくＬＥＤＲの処理（オン期間）を並行して行うことはできない。
【００５６】
図５を参照して説明したように、ロータリエンコーダセンサ１０７からのパルス信号（ＲＥＰＬＳ）のカウント値が所定の数値に達すると、内部的に読取開始コマンド（ＲＣＭＤ）を発行する。読取開始コマンド（ＲＣＭＤ）が発行されるとそれ以降、ロータリエンコーダセンサからのパルス信号に応じてＬＩＳ１０６のＬＥＤを一定期間点灯した後、主走査同期信号（ＭＳＹＮＣ）を出力し、アナログ画像信号（ＡＩＭＧ）を出力する。そして、アナログ画像信号（ＡＩＭＧ）は増幅器（ＡＭＰ）４０４で増幅され、Ａ／Ｄ変換器４０５はその増幅された電気信号をＡ／Ｄ変換して、例えば、各画素１６ビットのデジタル画像データを出力する。デジタル画像データはシェーディング補正やγ変換などの画像処理が施され、バッファＲＡＭ４０９に格納される。
【００５７】
次に、画像読取動作時のＬＩＳ１０６の主走査同期信号（ＭＳＹＮＣ）の周期（ｔ）について説明する。
【００５８】
図５〜図６から分るように読取動作時に用いる主走査同期信号（ＭＳＹＮＣ）の周期はロータリエンコーダセンサ１０７からの信号パルスによって変動し、その変動範囲はｔ１からｔ＋ｔ１であり変動幅はほぼｔに等しくなる。
【００５９】
この変動範囲の上限（ｔ＋ｔ１）について、図１４を用いて説明する。
【００６０】
図１４において、図６と同じ信号には同じ参照記号を用い、同じタイミングには同じ参照番号を用いている。
【００６１】
図１４はロータリエンコーダセンサ１０７からの出力パルス（ＲＥＰＬＳ）の出力タイミング５０８が主走査同期信号（ＭＳＹＮＣ）のタイミング５１０から周期（ｔ）経過するタイミング５１３の直前に出力されることを示している。
【００６２】
この場合、読取光源点灯信号（ＬＥＤＲ）の点灯時間はｔ１であるから、主走査同期信号（ＭＳＹＮＣ）の出力タイミング５１０から約時間（ｔ＋ｔ１）経過したタイミング５１２で、主走査同期信号（ＭＳＹＮＣ）は出力される。このように、主走査同期信号（ＭＳＹＮＣ）の周期が最大になるのは、主走査同期信号（ＭＳＹＮＣ）のタイミング５１０から周期（ｔ）経過するタイミング５１３の直前に出力される場合である。
【００６３】
基本的に画像読取動作では画像原稿に照射された光源からの反射光もしくは透過原稿を透過した光源からの透過光を光電変換している。このため、光源の点灯時間が一定であれば読取画像に対する主走査同期信号（ＭＳＹＮＣ）の周期の変動は殆ど無視できる。
【００６４】
但し、ネガフィルムなどの透過原稿の読取など非常に高いＳ／Ｎが要求される場合などでは、主走査同期信号（ＭＳＹＮＣ）の周期の変動によって生じるＬＩＳの暗電流成分変動をできる限り小さくすることが求められる。その場合には、できるだけ主走査同期信号（ＭＳＹＮＣ）の周期の変動を抑えることが必要となる。前に述べたように、主走査同期信号（ＭＳＹＮＣ）の周期の変動範囲はｔ１からｔ１＋ｔであるため、その変動幅はほぼｔである。
【００６５】
基本的には主走査同期信号の周期をできるだけ小さくすることが有効である。そのために、まず、非読取動作区間における主走査同期信号（ＭＳＹＮＣ）の周期（Ｔ＝ｔ）を画像読取動作時の読取光源点灯信号（ＬＥＤＲ）の点灯時間（ｔ１）よりも小さくすると良い（ｔ＜ｔ１）。一方、読取動作区間では原理的に読取動作を正常に行うために、主走査同期信号（ＭＳＹＮＣ）の周期は読取光源点灯信号（ＬＥＤＲ）の点灯時間（ｔ１）よりも長くする。
【００６６】
また、エンコーダの出力パルスの周期に着目すると、読取動作は正常に行なうために、読取動作区間ではエンコーダの出力パルス（ＲＥＰＬＳ）の時間間隔（ｔｒ）と読取光源点灯信号（ＬＥＤＲ）の点灯時間（ｔ１）とはｔ１＜ｔｒの関係を満たす。このために、エンコーダのスリットの解像度やラインセンサの移動速度が定められる。
【００６７】
さらに、非読取動作区間でもＬＩＳ１０６の１ライン分のアナログ画像信号は読出されるので、そのために必要な時間は確保しなければならない。つまり、ｔ≧ｔ２の条件を満たさなければならない。
【００６８】
図７は、ロータリエンコーダセンサ１０７からのパルス信号（ＲＥＰＬＳ）の周期に比べて、主走査同期信号（ＭＳＹＮＣ）の周期が小さい場合を説明する図である。図７は、２つの読取期間の間に非読取期間がある場合である。即ち、パルス信号（ＲＥＰＬＳ）５７１に基づいて、読取光源点灯信号（ＬＥＤＲ）５７２が出力され、さらにアナログ画像信号（ＡＩＭＧ）５７４が出力される。その後、パルス信号（ＲＥＰＬＳ）５７９に基づいて、読取光源点灯信号（ＬＥＤＲ）５８０が出力され、さらにアナログ画像信号（ＡＩＭＧ）５８２が出力される。これらの２つの信号処理シーケンスの間に、周期ｔで主走査同期信号（ＭＳＹＮＣ）が２度（５７５，５７７）が出力される。主走査同期信号（ＭＳＹＮＣ）５７５に基づき、アナログ画像信号（ＡＩＭＧ）５７６が出力され、主走査同期信号（ＭＳＹＮＣ）５７７に基づき、アナログ画像信号（ＡＩＭＧ）５７８が出力される。このように、光源を点灯させて読み取ったアナログ画像信号（ＡＩＭＧ）５７４、５８２の出力処理の間に、光源を点灯させずに読み取ったアナログ画像信号（ＡＩＭＧ）５７６、５７８の出力を行う。
【００６９】
図７にはシーケンスの一例として、ＬＩＳ１０６の移動を等速度制御領域でのタイミングを示されている。図５の場合、ＬＩＳ１０６の移動速度と比較すると図７の場合、ＬＩＳ１０６の移動速度は遅い。このため、ＬＩＳ１０６により読取処理が実行される時間間隔は大きい。従って、パルス信号（ＲＥＰＬＳ）が入力されない期間、パルス信号（ＲＥＰＬＳ）に依存せずに主走査同期信号（ＭＳＹＮＣ）を出力させるのである。このような信号出力の制御はタイミング信号発生回路４１３により行われる。例えば、タイミング信号発生回路４１３は、パルス信号（ＲＥＰＬＳ）５７１の入力を検知すると、時間ｔ１後にＭＳＹＮＣ５７３を出力する。更に、時間ｔ（ｔ２≦ｔ）後にＭＳＹＮＣ５７５を出力し、更に時間ｔ後にＭＳＹＮＣ５７７を出力するように制御する。そして、再び、ＲＥＰＬＳ５７９の入力を検知すると、上述した同様の順序で信号出力を行う。このようにタイミング信号発生回路４１３は、複数の周期の信号を出力することができる。なお、タイミング信号発生回路４１３は、ＭＳＹＮＣ５７７を出力する前にＲＥＰＬＳ５７９の入力を検知した場合には、ＲＥＰＬＳ５７９が入力してからｔ１後にＭＳＹＮＣ５８１が出力する。つまり、時間ｔの周期のＭＳＹＮＣの出力よりＲＥＰＬＳに基づくＭＳＹＮＣの出力が優先される。つまり、ＭＳＹＮＣ５７７を出力する前にＲＥＰＬＳ５７９の入力があった場合には、ＭＳＹＮＣ５７７はキャンセルされる。
【００７０】
ここで、主走査同期信号（ＭＳＹＮＣ）について、ＭＳＹＮＣ５７３とＭＳＹＮＣ５７５の間隔、ＭＳＹＮＣ５７５とＭＳＹＮＣ５７７の間隔は、パルス信号（ＲＥＰＬＳ）の周期（５７１と５７９との間隔）とｔ２の値に基づき定められれば良い。例えば、ＬＩＳ１０６の移動速度とｔ２に基づいて定めれば良い。このような制御構成により、ＬＩＳ１０６を低速度で移動させる場合でも、エンコーダからの位置信号に同期して適切な読取動作を行うことができる。また、図７のシーケンスの一例として、ＬＩＳ１０６の移動について等速度制御について説明したが、加速制御領域や減速制御領域でも適用できる。例えば、パルス信号（ＲＥＰＬＳ）の入力回数や速度情報を用いれば、パルス信号（ＲＥＰＬＳ）の周期が予測できる。このため、予測した周期に対応して主走査同期信号（ＭＳＹＮＣ）の出力を制御すればよい。また、図７のシーケンスの一例として、周期ｔの主走査同期信号（ＭＳＹＮＣ）の出力回数は２回に限定するものではない。
【００７１】
従って以上説明した実施例に従えば、画像読取において、ＬＩＳの位置検出に用いられるロータリエンコーダからのパルス信号の各出力に同期してＬＩＳで読取った画像信号を得ることができる。これにより、たとえ、ＬＩＳを内蔵する光学ユニットの移動に速度変動が生じても読取位置を正確に反映して画像原稿を読取ることができる。
【００７２】
なお以上説明した実施例では画像読取動作を行わないときには、一定周期（ｔ）で主走査同期信号（ＭＳＹＮＣ）を出力する構成としていたが本発明はこれによって限定されるものではない。例えば、図８に示すように、非読取動作区間においても常にロータリエンコーダセンサからのパルス信号の出力に応じて、ＬＩＳの主走査同期信号（ＭＳＹＮＣ）を出力させるようにしても良い。即ち、図８では、非読取動作区間に出力されるタイミング９０１、９０２でのパルス信号（ＲＥＰＬＳ）に応じてタイミング９２１、９２２で主走査同期信号（ＭＳＹＮＣ）が出力される。この時、この信号に同期してダミーのアナログ画像信号（ＡＩＭＧ）が出力される。なお、タイミング９０３で出力されるパルス信号（ＲＥＰＬＳ）以降は読取動作区間となり、前述のように、このパルス信号（ＲＥＰＬＳ）に応じてタイミング９１３で読取光源点灯信号（ＬＥＤＲ）の出力が行なわれる。これに続いて、主走査同期信号（ＭＳＹＮＣ）が出力され、その信号に同期してアナログ画像信号（ＡＩＭＧ）の出力が行われる。
【００７３】
或いは、装置の仕様上、定常的に主走査同期信号を入力することが必須条件ではないＬＩＳを用いる場合には、図９に示すように、非読取動作区間ではＬＩＳの主走査同期信号（ＭＳＹＮＣ）を全く出力させないように制御しても良い。即ち、図９では、非読取動作区間に出力されるタイミング９０１、９０２でのパルス信号（ＲＥＰＬＳ）に応じて主走査同期信号が出力されていないことが示されている。
【００７４】
また以上説明した実施例では、ロータリエンコーダからのパルス信号に同期してＬＥＤを一定期間点灯した後、主走査同期信号を出力しアナログ画像信号を出力して画像読取動作を実行していたが、高速応答できない光源を用いた装置にも本発明は適用できる。その場合には、ＬＩＳの電子シャッタ機能を用いてＬＩＳの露光期間制御を行うようにすれば良い。具体的には、図５〜図１０のタイムチャートにおいて、読取光源点灯信号（ＬＥＤＲ）をＬＩＳの電子シャッタイネーブル（シャッタオープン）信号（ＳＨＵＴＥＮ）に置換すればよい。読み取りを行うタイミングでは、このＳＨＵＴＥＮ信号をイネーブル（許可）状態にする。
【００７５】
以下にこの実施例を説明する。
【００７６】
リニアイメージセンサの動作原理は、光電変換素子であるフォトダイオード部で発生した電荷を電荷蓄積部に主走査同期信号周期の期間蓄積し、その蓄積電荷をＣＣＤ部に転送して１画素ずつシフトして出力する。一部のイメージセンサでは、フォトダイオード部で発生した電荷を電荷蓄積部に蓄積せずに排出させる機能を有している。このために、リニアイメージセンサには、電荷の蓄積を許可／禁止するゲート回路を備えている。このゲート回路を許可する時間の長さを制御して電荷の蓄積量をコントロールできる。この制御を後述するＳＨＵＴＥＮ信号で行う。
【００７７】
この機能を用いることにより主走査同期信号期間中、一部の期間のみ電荷蓄積を行わせることが可能となる。この機能を使用することで、高速に応答することのできない光源を用いた読み取り装置においてもリニアイメージセンサの露光期間制御を行うことができ、上述した実施例と同様の効果を得ることができる。
【００７８】
具体的に、図１３のタイミングチャートを用いて説明する。図５で示したのと同じ信号には同じ参照記号を用い、同じタイミングには同じ参照番号を用いている。
【００７９】
まず、ＣＰＵ４１４は予め読み取り光源点灯信号（ＬＥＤＲ）を点灯状態（ハイレベル）に維持し、読み取り光源の光出力を安定状態にしておく（光源は読取範囲をリニアセンサが走査する間、点灯しているものとする）。そして、読み取り動作を行わないときにはリニアイメージセンサ１０６に対して一定周期の主走査同期信号（ＭＳＹＮＣ）を所定の周期ｔで出力する。リニアイメージセンサ１０６はこの主走査同期信号期間に露光された光学信号をアナログ電気信号に蓄積変換し、次の主走査同期信号期間に１主走査分のアナログ画像信号として出力する。但し読み取り動作を行わないときには、電荷を電荷蓄積部へ転送する為のＳＨＵＴＥＮ信号はディスエーブル（禁止）となっている。このため、リニアイメージセンサから出力されるアナログ画像信号はゼロ（全黒データ）となっている（網点で示すＡＩＭＧ０）。
【００８０】
また、ＣＰＵ４１４はＤＣモータ１０５の駆動制御を行い、リニアイメージセンサ１０６と読み取り原稿の相対的な移動を行う。その際、読み取り動作に先立ってホームポジションセンサ１０９の出力信号検出時にロータリーエンコーダ１０７のセンサ出力信号のカウントを開始する。そして、ホームポジションセンサ１０９の出力検出時にカウントを開始したロータリーエンコーダ１０７のセンサ出力信号のカウント値が所定の数値に達すると（所定の読み取り開始位置に到達すると）読み取り動作を開始する。
【００８１】
図１３はロータリーエンコーダセンサ出力（ＲＥＰＬＳ）を示すタイムチャートである。この出力信号（ＲＥＰＬＳ）のカウント値が所定のカウント値になると、タイミング５０１で読み取りが開始される。タイミング５０１に同期して電荷を蓄積する為の信号（ＳＨＵＴＥＮ）のタイミング５０２で所定の期間（ｔ１）、電荷が蓄積される。この後、主走査同期信号（ＭＳＹＮＣ）をタイミング５０３で出力し、続いてアナログ画像信号（ＡＩＭＧ）をタイミング５０４で出力する。そして、同様に、タイミング５０５、５０６におけるＲＥＰＬＳの出力に応じて連続的に各ラインの読み取り動作が行われる。
【００８２】
以上の説明した制御は、図３〜図４に示したように、読取光源として３つのＬＥＤを備え、これらのＬＥＤの点灯を順次切換え時分割制御してカラー画像を読取る場合にも適用することができる。
【００８３】
図１０はカラー画像原稿読取時に用いる各種信号のタイムチャートである。図１０に示すように、ロータリエンコーダセンサからの１回のパルス信号（ＲＥＰＬＳ）の出力に同期して、赤色ＬＥＤ２０２と緑色ＬＥＤ２０３と青色ＬＥＤ２０４とを順次点灯させる。これらの点灯終了後、順次ＬＩＳの主走査同期信号（ＭＳＹＮＣ）出力し、この信号に同期して各色成分のアナログ画像信号の出力を行う。このような動作は連続的に行われる。この場合も、上述のように、非読取動作区間において（ｔ２＜）ｔ＜ｔ１とすることにより、主走査同期信号の周期変動を小さくすることができる。
【００８４】
カラー画像原稿の非読取区間では、次のような２つの制御の内のいずれかを実行しても良い。
【００８５】
図１１は非読取区間におけるカラー画像原稿読取時に用いる各種信号のタイムチャートである。図１１に示されるように、この制御によれば、非読取区間では主走査同期信号（ＭＳＹＮＣ）の出力は抑制される。
【００８６】
図１２は非読取区間におけるカラー画像原稿読取時に用いる各種信号のタイムチャートである。図１２に示されるように、この制御によれば、非読取区間ではロータリエンコーダセンサからのパルス信号（ＲＥＰＬＳ）の出力に同期して主走査同期信号（ＭＳＹＮＣ）を出力する。
【００８７】
なお以上説明した実施例では、光学ユニットを移動する駆動源としてＤＣモータを用いたが本発明はこれによって限定されるものではない。例えば、駆動源としてステッピングモータを用い、モータドライバにはステッピングモータ用の駆動回路を用いても良い。
【００８８】
また以上説明した実施例では、ＬＩＳによる画像読取位置をＤＣモータの回転軸に取付けられたロータリエンコーダを用いて検出する構成としたが本発明はこれによって限定されるものではない。例えば、その位置検出はＬＩＳそのものの位置を検出するリニアエンコーダを用いても良いし、或いはＬＩＳを内蔵する光学ユニットを移動させる機構系のいずれかに取り付けられたエンコーダを用いても良い。さらには、画像原稿を移動させて画像読取を行なう構成の装置の場合には、その移動機構のいずれかに取り付けられたリニアエンコーダ或いはロータリエンコーダを用いても良い。これにより、画像原稿とイメージセンサとの相対的な位置を検出することができる。
【００８９】
またさらに以上説明した実施例では、ＬＥＤ光源を有したＬＩＳを用いて画像読取を行なったが本発明はこれによって限定されるものではない。例えば、読取光源と縮小光学機構を有したＣＣＤリニアイメージセンサを用いても良い。
【００９０】
またさらに以上説明した実施例では、ロータリエンコーダセンサからのパルス信号をそのままＬＩＳの主走査同期信号の発生に用いていたが本発明はこれによって限定されるものではない。例えば、ロータリエンコーダセンサのパルス信号を分周或いは逓倍した信号を用いることも可能である。これにより、画像原稿読取における副走査方向の線密度変動の精度向上やロータリエンコーダの機械的線密度以上の読取線密度での読取が可能となる。さらに、複数の読取モードを有した装置では、オリジナルのパルス信号や分周或いは逓倍した信号を生成することにより、選択した読取モードに応じて最適な信号を選択することができる。また、イメージセンサとして、ＣＣＤイメージセンサに限定するものはなく、ＣＭＯＳイメージセンサに適用してもかまわない。
【図面の簡単な説明】
【００９１】
【図１】本発明の代表的な実施例であるフラットベッド型の画像読取装置の外観斜視図である。
【図２】図１に示す画像読取装置の内部構成を示す側断面図である。
【図３】リニアイメージセンサユニットの詳細な構造を示す側断面図である。
【図４】図１に示す画像読取装置の制御構成を示すブロック図である。
【図５】画像読取動作時のロータリエンコーダセンサ出力に同期した画像読取のための各種信号のタイムチャートである。
【図６】ロータリエンコーダセンサ出力の周期が長くなる場合の画像読取のための各種信号のタイムチャートである。
【図７】読取区間と読取区間との間に非読取区間がある場合のタイミングチャートである。
【図８】画像読取動作時の非読取区間における主走査同期信号の生成制御を示すタイムチャートである。
【図９】画像読取動作時の非読取区間における主走査同期信号の生成制御の別の態様を示すタイムチャートである。
【図１０】カラー画像読取動作時のロータリエンコーダセンサ出力に同期した画像読取のための各種信号のタイムチャートである。
【図１１】カラー画像読取動作時の非読取区間における主走査同期信号の生成制御を示すタイムチャートである。
【図１２】カラー画像読取動作時の非読取区間における主走査同期信号の生成制御の別の態様を示すタイムチャートである。
【図１３】画像読取動作時のロータリエンコーダセンサ出力に同期した画像読取のための別の実施例における各種信号のタイムチャートである。
【図１４】主走査同期信号（ＭＳＹＮＣ）の周期の変動範囲について説明するタイムチャートである。
【図１５】リニアイメージセンサユニットの機能構成を示すブロック図である。
【符号の説明】
【００９２】
１００  画像読取装置
１０１  光学ユニット
１０２  回路基板
１０３  ベルト（またはワイヤ）
１０４  原稿台ガラス
１０５  ＤＣモータ
１０６  ＬＩＳ（リニアイメージセンサ）
１０７  ロータリエンコーダセンサ
１０８  原稿
１０８  ホームポジションセンサ
１１０  ＬＣＤ
２０２  赤色ＬＥＤ
２０３  緑色ＬＥＤ
２０４  青色ＬＥＤ
４１０  ＬＣＤバックライト光源ＬＥＤ
４１３  タイミング信号発生回路
４１４  ＣＰＵ
４２０  ＤＣモータ用モータドライバ
【図１】
2007184907.tif 000003
【図２】
2007184907.tif 000004
【図３】
2007184907.tif 000005
【図４】
2007184907.tif 000006
【図５】
2007184907.tif 000007
【図６】
2007184907.tif 000008
【図７】
2007184907.tif 000009
【図８】
2007184907.tif 000010
【図９】
2007184907.tif 000011
【図１０】
2007184907.tif 000012
【図１１】
2007184907.tif 000013
【図１２】
2007184907.tif 000014
【図１３】
2007184907.tif 000015
【図１４】
2007184907.tif 000016
【図１５】
2007184907.tif 000017